(57)【要約】      （修正有）【課題】ブレード間の近接を規制し常に安定した刈込作業を行うことができる刈込機およびブレードアセンブリを提供する。【解決手段】駆動源２を内蔵する本体と、前記駆動源によって駆動され、回転を往復動に変換する偏心カム７と、前記本体から突出するように設けられる刃部を有し、少なくとも一方が前記偏心カムに係合する係合部１２を有し前記偏心カムにより往復動させられる上ブレード８および下ブレード９を備え、前記上ブレードと前記下ブレードの一方または他方は、前記刃部と前記係合部との間に、他方のブレードから離れる方向へ曲げられて段差部１３が形成される刈込機において、前記係合部と前記段差部との間に、前記上ブレードと前記下ブレードの近接を規制するスペーサ部１６を設けた。【選択図】図２
2016140275.tif 000002
【特許請求の範囲】
【請求項１】
駆動源を内蔵する本体と、
前記駆動源によって駆動され、回転を往復動に変換する偏心カムと、
前記本体から突出するように設けられる刃部を有し、少なくとも一方が前記偏心カムに係合する係合部を有し前記偏心カムにより往復動をさせられる上ブレードおよび下ブレードと、を備え、
前記上ブレードと前記下ブレードの一方または両方は、前記刃部と前記係合部との間に、他方のブレードから離れる方向へ曲げられて段差部が形成される刈込機であって、
前記係合部と前記段差部との間に、前記上ブレードと前記下ブレードの近接を規制するスペーサ部が設けられる、ことを特徴とする刈込機。
【請求項２】
前記スペーサ部が、前記上ブレードと前記下ブレードの少なくとも一方に設けられ、もう一方のブレード側へ突出する、ことを特徴とする請求項１に記載の刈込機。
【請求項３】
前記スペーサ部は、
前記上ブレードと前記下ブレードの少なくとも一方に嵌合される固定部と、
前記固定部から突出する突出部と、を備え、
前記突出部の前記固定部からの突出量は、前記段差部と前記係合部との間における、前記上ブレードから前記下ブレードまでの間隔以上であることを特徴とする、請求項１または２に記載の刈込機。
【請求項４】
前記スペーサ部が、前記上ブレードおよび前記下ブレードとは別体に設けられる、ことを特徴とする請求項１乃至３の何れか１項に記載の刈込機。
【請求項５】
前記スペーサ部が複数設けられる、ことを特徴とする請求項１乃至４の何れか１項に記載の刈込機
【請求項６】
前記スペーサ部が、前記偏心カムの回転中心を通り、前記往復動方向に平行に延びる軸線を基準として、両側に設けられる、ことを特徴とする請求項５に記載の刈込機。
【請求項７】
駆動源に接続され、刃部を有し、少なくとも一方が前記駆動源により駆動させられる出力部に係合する係合部を有し前記出力部により往復動をさせられる上ブレードおよび下ブレードと、を備え、
前記上ブレードと下ブレードの一方または両方は、前記刃部と前記係合部との間に、他方のブレードから離れる方向へ曲げられて段差部が形成されるブレードアセンブリであって、
前記係合部と前記段差部との間に、前記上ブレードと前記下ブレードの近接を規制するスペーサ部が設けられる、ことを特徴とするブレードアセンブリ。
【発明の詳細な説明】
【技術分野】
【０００１】
本発明は、草や木の枝等を切断する刈込機およびそれに用いるブレードアセンブリに関するものである。
【背景技術】
【０００２】
従来の刈込機を図６〜１０にて説明する。
【０００３】
外枠１に内蔵されたモータ２の回転は、該モータ２の回転軸３とホルダ４に圧入固着されたピン５を軸に回転可能に装着されたギヤ６に伝達される。該ギヤ６にはクランクカム７が嵌合連結されており、モータ２の回転を往復動に変換することで、クランクカム７に係合し、外枠１の前方に突出するように設けられた上ブレード８と下ブレード９が往復動し草や木の枝を刈込むことができる。
【０００４】
この構成において下ブレード９と係合したクランクカム７の一部と上ブレード８が干渉しないで滑らかに回転出来るように、上ブレード８のクランクカム７との係合部１２の前方側を曲げて段差部１３を形成し、該ブレード間に隙間Ａを設けている(図６)。段差部１３は上ブレード８を曲げて形成するため、力を加えることによってさらなる変形が生じやすく、そのため、刈込作業によっては上ブレード８に強い力が加わった際には、上ブレード８の段差部１３が隙間Ａを狭めるように変形し、上ブレード８の係合部１２がクランクカム７から外れる恐れがあった（図７）。
【０００５】
そこで、特許文献１に記載されているように、上ブレード８がクランクカム７から外れ難くするため、図８、図１０(ａ),(ｂ)に示すようにの馬蹄形の平板状プレート１４を上ブレード８と下ブレード９の端部間に介在し、上ブレード８に枝などが引っかかりロックするなどして強い力が加わった場合でも、該上ブレード８の下ブレード９への近接をプレート１４によって規制する構成が考えられた（図９）。
【０００６】
また、特許文献２に記載されているように、上ブレードまたは下ブレードのどちらか一方の、係合部の側面に、切り曲げ部を設けることで、上ブレードまたは下ブレードがもう一方のブレードに近づいた場合に、ブレードの間隔が狭くなることを規制する構成も考えられた。
【先行技術文献】
【特許文献】
【０００７】
【特許文献１】特開２００７−１３５４３５号公報
【特許文献２】特開２０１０−１０４３４０号公報
【発明の概要】
【発明が解決しようとする課題】
【０００８】
しかしながら、特許文献１のように構成された刈込機でも、上ブレード８に係合部１２から強い力が加わった場合には、図９に示すように、段差部１３が変形し、上ブレード８の端部が下ブレード９に近接する。また、プレート１４は、図１０（ｂ）に示すように左側の片側のみで固定される形状のため、剛性が低くて変形し易く、図９に示すように上ブレード８が変形したままの状態で長時間運転すると、上ブレード８がクランクカム７の端部（図９のＤ部)に接触して偏摩耗し、該上ブレード８がクランクカム７から外れ易くなる。
【０００９】
また、特許文献２のように構成された刈込機でも、曲げ部（段差部）と切り曲げ部との間隔が広すぎるため、上ブレードおよび下ブレードに強い力が加わった場合には曲げ部（段差部）が変形し、曲げ部（段差部）と切り曲げ部との間で上ブレードと下ブレードとの間隔が狭くなることで、クランクカムから外れる恐れがある。
【００１０】
本発明の目的は、ブレードのクランクカムからの脱落を防いで常に安定した刈込作業を行うことができる刈込機を提供することにある。
【課題を解決するための手段】
【００１１】
上記目的を達成するため、本発明の第１の観点に係る刈込機は、駆動源を内蔵する本体と、前記駆動源によって駆動され、回転を往復動に変換する偏心カムと、前記本体から突出するように設けられる刃部を有し、少なくとも一方が前記偏心カムに係合する係合部を有し前記偏心カムにより往復動をさせられる上ブレードおよび下ブレードと、を備え、前記上ブレードと前記下ブレードの一方または両方は、前記刃部と前記係合部との間に、他方のブレードから離れる方向へ曲げられて段差部が形成される刈込機であって、前記係合部と前記段差部との間に、前記上ブレードと前記下ブレードの近接を規制するスペーサ部が設けられる、ことを特徴とする。
【００１２】
また、前記スペーサ部は、前記上ブレードと前記下ブレードの少なくとも一方に設けられ、もう一方のブレード側へ突出してもよい。
【００１３】
また、前記スペーサ部は、前記上ブレードと前記下ブレードの少なくとも一方に嵌合される固定部と、前記固定部から突出する突出部と、を備え、前記突出部の前記固定部からの突出量は、前記段差部と前記係合部との間における、前記上ブレードから前記下ブレードまでの間隔以上であってもよい。
【００１４】
また、前記スペーサ部が、前記上ブレードおよび前記下ブレードとは別体に設けられてもよい。
【００１５】
また、前記スペーサ部が複数設けられてもよい。
【００１６】
また、前記スペーサ部が、前記偏心カムの回転中心を通り、前記往復動方向に平行に延びる軸線を基準として、両側に設けられてもよい。
【００１７】
本発明の第２の観点に係るブレードアセンブリは、駆動源に接続され、刃部を有し、少なくとも一方が前記駆動源により駆動させられる出力部に係合する係合部を有し前記出力部により往復動をさせられる上ブレードおよび下ブレード、を備え、前記上ブレードと下ブレードの一方または両方は、前記刃部と前記係合部との間に、他方のブレードから離れる方向へ曲げられて段差部が形成されるブレードアセンブリであって、前記係合部と前記段差部との間に、前記上ブレードと前記下ブレードの近接を規制するスペーサ部が設けられる、ことを特徴とする。
【発明の効果】
【００１８】
本発明によれば、上ブレードと下ブレードの少なくとも一方の変形を最小限に抑制することができるため、係合部がクランクカムから外れ難くなり円滑に操作することができる。
【図面の簡単な説明】
【００１９】
【図１】実施の形態としての刈込機の外観斜視図である。
【図２】実施の形態としての(ａ)は断面図、(ｂ)はＦ部拡大図である。
【図３】実施の形態としてのスペーサ部の斜視図である。
【図４】実施の形態としての上ブレードとスペーサ部の構成を示す。
【図５】実施の形態の変形例としての（ａ）はスペーサ部を２つ設けた場合、（ｂ）はスペーサ部を３つ設けた場合の、上ブレードとスペーサ部の構成を示す。
【図６】従来技術としての断面図である。
【図７】従来技術としての上ブレードの変形の様子を示す断面図である。
【図８】従来技術としてプレートを用いた断面図である。
【図９】従来技術としてプレートを用いた上ブレードの変形の様子を示す断面図である。
【図１０】従来技術としてプレートの(ａ)は側面図、(ｂ)はプレートの平面図である。
【発明を実施するための形態】
【００２０】
本発明の実施例を、図１〜４を用いて説明する。なお、実施の形態は発明を限定するものではなく発明を説明するための例示であり、実施の形態に記述されるすべての構造やその組み合わせによって発明が構成されるものではない。
【００２１】
図１，２（ａ）、２（ｂ）において、電源コード１５から供給された電力によって外枠１に内蔵したモータ２が駆動した回転は該モータ２から下方に突出する回転軸３とホルダ４に圧入固着されたピン５を軸に回転可能に装着されたギヤ６が噛み合い伝達される。該ギヤ６には前記モータ２の回転を往復動に変換するクランクカム７（出力部）が嵌合連結されていて、該クランクカム７に係合し、外枠１の前方（図１における左側、図２（ａ）、（ｂ）における右側）に突出するように設けられた上ブレード８と下ブレード９が往復動する。この上ブレード８および下ブレード９には、左右両側に複数設けられた刈刃１０を擦り合わせながら往復動することで草や木の枝等を挟み込んで刈込む刃部１１と、クランクカム７と係合する係合部１２と、が設けられており、この上ブレード８と下ブレード９が組み合わさることでブレードアセンブリ１８が構成される。さらに、上ブレード８の刃部１１と係合部１２との間には、下ブレード９との間隔が広がるように曲がる段差部１３が設けられており、段差部１３と係合部１２との間にスペーサ部１６が設けられる。
【００２２】
図３において、スペーサ部１６は一例として固定部１６ａと突出部１６ｂから形成されており、固定部１６ａは段差部１３を有する上ブレード８の穴部に嵌合され、突出部１６ｂの固定部１６ａの端部からの突出量ｈは、上ブレード８と下ブレード９との隙間ｓと概ね等しく、または隙間ｓより大きく（ｈ≧ｓ）なるように形成され、下ブレード９に当接しながら上ブレード８に追従して下ブレード９上面を摺動する。また、スペーサ部１６は、ブレードが往復動してもクランクカム７に接触しないように、下ブレード９とクランクカム７との係合部から十分な距離をとって配置されるように構成している。
【００２３】
図４は、上ブレード８の係合部１２周辺領域を上方から見た状態を示した図であり、上ブレード８の係合部１２と段差部１３との間および段差部１３上の領域ｍ（斜線の領域）にスペーサ部１６が配置されるように構成している。
【００２４】
以上の構成によれば上ブレード８と下ブレード９の間に介在されたスペーサ部１６を、上ブレード８の係合部１２と段差部１３との間に設ける構成としたため、上ブレード８と下ブレード９との間に枝などが挟まり、上ブレード８に係合部１２から強い力が加わった場合にも、段差部１３での上ブレード８の変形は防止される。また、仮にスペーサ部１６と係合部１２との間で上ブレード８が変形しても、上ブレード８が曲げられて形成される段差部１３に比べ、スペーサ部１６と係合部１２との間は平坦であるため、変形が小さく抑えられる。これにより、クランクカム７近傍における上ブレード８と下ブレード９との近接が規制されるため、係合部１２のクランクカム７からの脱落も防ぐことができ、常に安定した刈込作業を行うことができる。本実施形態では、特許文献２に記載の切り曲げ部と比較して、スペーサ部１６をより段差部１３の近傍に設けるため、上ブレード８と下ブレード９との近接を規制する効果も特許文献２の構成より強く得ることができる。
【００２５】
また、本実施形態では、スペーサ部１６が上ブレード８に設けられる構成としたことで、図８〜図１０に示すように片側のみで固定される形状のプレート１４を用いる構成と比較して、プレート１４のように変形する恐れのある部材を有さないことから、長期間にわたり上ブレード８の変形を防止することができる。
【００２６】
また、突出部１６ｂの固定部１６ａからの突出量ｈを、上ブレード８と下ブレード９との隙間ｓ以上となるように形成することで、突出量ｈが隙間ｓとおおむね等しい場合には、突出部１６ｂが下ブレード９に常に当接し、上ブレード８が下ブレード９側へ近接する遊びが無くなり、また、突出量ｈが隙間ｓよりも大きい場合には、上ブレード８と下ブレード９との間隔がわずかに広げられる。どちらの場合にも、上ブレード８の下ブレード９側への近接が規制されるため、係合部１２がクランクカム７から脱落することが防止できる。
【００２７】
また、スペーサ部１６を上ブレード８および下ブレード９とは別体に設けたことで、ブレード８およびブレード９に簡単な加工を施すのみでスペーサ部１６を用いることができる。この効果は特に、特許文献２に記載のように、スペーサとなる凸部をブレードの切り曲げにより実現する構成と比較して、顕著である。
【００２８】
次に、本発明の変形例を、図５（ａ）、（ｂ）を用いて説明する。図５（ａ）に示した変形例では、複数個のスペーサ部１６の一例として、クランクカム７の回転中心１９を通り上ブレード８および下ブレード９の往復動方向に平行に延びる軸線ｃの両側に、それぞれスペーサ部１６´と１６´´が配置されるように構成している。
【００２９】
このように、スペーサ部１６を複数設ける構成とすることで、上ブレード８の変形を規制する力を増大させることが可能であるとともに、スペーサ部１６の１つ１つに加わる力を分散し、摩擦などによるスペーサ部１６の損耗を防止することができる。
【００３０】
また、スペーサ部１６を複数設ける場合には、図５（ａ）に示すように、軸線ｃの両側に設けることで、上ブレード８が捻れるように変形することを防止することができる。
【００３１】
また、図５（ｂ）に示した変形例では、スペーサ部１６´と１６´´の他に、軸線ｃ上にもう１つスペーサ部１６´´´を配置するように構成している。
【００３２】
このようにスペーサ部１６を３カ所以上設けた場合には、変形を規制する力を増大できることや、スペーサ部１６の損耗を防止できることといった、スペーサ部１６を２箇所設けた場合に得られる効果がより強く得られる。この構成ではスペーサ部１６がクランクカム７と接触するが、この場合にもスペーサ部１６が上ブレード８とクランクカム７との間に入り込み、上ブレード８の下ブレード９側への変形を規制するため、係合部１２がクランクカム７から脱落することが防止できる。
【００３３】
以上、実施の形態を例に本発明を説明したが、本願発明は請求項に記載の範囲で種々の変形が可能であることは、当業者に理解されるところである。例えば、本実施の形態において刈込機はヘッジトリマとして説明したが、往復動する刈刃を備えた他の工具にも適用可能であり、例えば芝生バリカンにおいて、刈刃間の間隔を保持する構造としても使用することができる。また、本実施の形態においては、上ブレード８と下ブレード９のどちらもクランクカム７に係合し駆動する構成としたが、どちらか一方は外枠１やホルダプレート１７に固着し、もう一方のブレードのみをクランクカム７に係合し駆動する構成としてもよい。また、本実施の形態において、突出部１６ｂの固定部１６ａからの突出量ｈは、上ブレード８と下ブレード９との隙間ｓと等しく、または隙間ｓより大きく（突出量ｈ≧ｓ）なるように形成されることとしたが、係合部１２がクランクカム７から外れない程度に、突出量ｈを隙間ｓ未満（ｈ＜ｓ）となるように形成してもよい。また、本実施の形態においては、スペーサ部１６を段差部１３と係合部１２に挟まれた領域に設ける構成を例示したが、このスペーサ部１６を段差部１３上に設ける構成としてもよく、この構成も広義で段差部１３と係合部１２との間にスペーサ部１６を有する構成に含まれるものであり、段差部１３の前方端に位置し上ブレード８が下ブレード９から離間し始める屈曲点における変形を規制する効果が得られる。また、本実施の形態においては、上ブレード８に段差部１３およびスペーサ部１６を設ける構成を例示したが、下ブレード９に段差部１３およびスペーサ部１６を設けても、上ブレード８と下ブレード９に段差部１３とスペーサ部１６をそれぞれ別々に設けても、上ブレード８と下ブレード９の両方に段差部１３とスペーサ部１６を共に設けてもよい。また、本実施の形態においては、電力によって駆動するモータ２を駆動源とする構成を例示したが、駆動源をエンジンとして構成してもよい。
【符号の説明】
【００３４】
１  外枠
２  モータ
３  回転軸
４  ホルダ
５  ピン
６  ギヤ
７  クランクカム
８  上ブレード
９  下ブレード
１０  刈刃
１１  刃部
１２  係合部
１３  段差部
１４  プレート
１５  電源コード
１６  スペーサ部
１６ａ  固定部
１６ｂ  突出部
１７  ホルダプレート
１８  ブレードアセンブリ
１９  クランクカムの回転中心
ｓ  ブレート間の隙間
ｈ  スペーサ部突出部の突出量
ｍ  係合部とスペーサ部の間の領域
ｃ  クランクカムの回転中心を通り上ブレードおよび下ブレードの往復動方向に平行に延びる軸線
【図１】
2016140275.tif 000003
【図２】
2016140275.tif 000004
【図３】
2016140275.tif 000005
【図４】
2016140275.tif 000006
【図５】
2016140275.tif 000007
【図６】
2016140275.tif 000008
【図７】
2016140275.tif 000009
【図８】
2016140275.tif 000010
【図９】
2016140275.tif 000011
【図１０】
2016140275.tif 000012